(57)【要約】【課題】  ヘッダー部において湯水通水路の開閉操作を行う際に、操作者が誤って近傍の配管接続部に触れてしまい、配管の接続が外れ、漏水してしまう恐れがあった。【解決手段】  本管からヘッダーを介して、所望の給水給湯器具へ分岐配管され、このヘッダーから分岐した分岐配管のうち少なくとも一つには、開閉を操作する開閉弁を設け、前記ヘッダー及び前記開閉弁を含む配管部材の接続部を有する配管構造にあって、前記開閉弁の操作部と前記配管接続部との間に、仕切り材を設けた。【選択図】    図４
2004239055.tif 000002
【特許請求の範囲】
【請求項１】
本管からヘッダーを介して、所望の給水給湯器具へ分岐配管され、このヘッダーから分岐した分岐配管のうち少なくとも一つには、開閉を操作する開閉弁を設け、前記ヘッダー及び前記開閉弁を含む配管部材の接続部を有する配管構造にあって、前記開閉弁の操作部と前記配管接続部との間に、仕切り材を設けることを特徴とする給水給湯器具の配管構造。
【請求項２】
前記操作部を複数有し、前記各操作部と前記配管接続部との仕切り材が、一体で構成されている事を特徴とする請求項１記載の給水給湯器具の配管構造。
【請求項３】
前記仕切り材上に、個々の開閉弁に対応した行き先表示がある事を特徴とする請求項１もしくは２に記載の給水給湯器具の配管構造。
【請求項４】
ヘッダー本体もしくは分岐配管の少なくとも一方の上に、ヘッダー初期設置が完了した際には、仕切り材に表示されたものと同一の行き先内容になるような表示を設けることを特徴とした請求項３記載の給水給湯器具の配管構造。
【発明の詳細な説明】
【技術分野】
【０００１】
本発明は、住宅において、ヘッダー工法における給水給湯器具の配管構造に関するものである。
【背景技術】
【０００２】
給水配管および給湯機を介した給湯配管がヘッダーに接続され、給水、給湯器具まで分岐配管を接続してなるヘッダー工法は、ヘッダー部に湯水配管が集約される特徴をもつことから、個々の分岐配管の始端部に開閉弁を設けることで、分岐配管の先に位置する給水、給湯器具への湯水の開閉操作を集中した一箇所で作業できるという利点がある（例えば、特許文献１参照）。
しかし水道工事業者に代表される、配管の敷設、修理、補修等を行うための特別な知識を有する者だけでなく、配管に関する特別な知識を有さない居住者など一般の者も操作する可能性がある。
【０００３】
水道の場合、給水給湯配管の末端に設けられた、給水給湯器具使用時には、その器具にて給水給湯の通水路をおこなう。このため、そこまでの湯水通水路は常時水圧がかかる状態にあり、昼夜の水圧変動など何らかの理由により前記湯水通水路の一部が破損してしまうと、水圧により破損部から漏水が始まる。これが、特に居住者の不在中や睡眠中などに発生すると、漏水に気付くまでの時間が遅れてしまうため、より大きな被害を引き起こす可能性がある。このような事故を回避するためには、給水給湯器具を使用しない場合は、なるべく水道本管に近い位置で止水しておくことが好ましい。
【０００４】
しかし一方で、給水給湯器具の中には、洗濯機や食器洗浄機に代表されるように、人がいなくとも運転が可能なものもある。居住者が生活する上で、湯水使用の集中を防ぐため、不在中や睡眠中などに前記のような器具を可動させるケースもあり、この場合は当該湯水経路を開栓させておく必要も出てくる。
【０００５】
このように、湯水経路開閉操作は、時々の状況に応じて変化することから、必要に応じた個々の給水給湯器具別に行えるようにしておくのが好ましく、また、家中に散らばる各器具の開閉弁を管理するには、湯水配管が一箇所に集中している場所がよい。これらの観点よりヘッダー部にて開閉弁を設けることは、実際の作業を行う上で有利であるといえる。
そして、以上のような操作は、配管に関する特別な知識を有さない居住者などにより、日常的に行われて初めて効果を持つものとなる。
【特許文献１】特開２００２−１３８５３１号公報
【発明の開示】
【発明が解決しようとする課題】
【０００６】
しかし、湯水配管が集中するヘッダー部は、必然的にその近傍に配管接続部を多く持つ構造をとる。
一方、近年では、給水給湯配管初期設置時及び補修時の、更なる施工性改善のため、配管接続部をクイックファスナーやカプラーなどに代表されるようなワンタッチで容易に脱着できる配管接続構造も多く見られるようになってきた。
【０００７】
このような状況において、湯水通水路の開閉操作をヘッダーの操作部にて日常的に行う場合、前述のように操作部と配管接続部が同一空間に近接していると、操作時に、配管接続部のクイックファスナーに手や衣類をひっかけて外してしまったり、カプラーの取外し操作部に触れてしまうなど、重大な漏水事故を引き起こす可能性が懸念される。
またこれは、特に先述のような配管の敷設、修理、補修等を行うための特別な知識を有さない居住者などが扱うに当たり、その危険性が高まる。
【０００８】
そこで本発明は、上記課題を解決するためになされたもので、ヘッダー工法の利点である家中に散らばる給水、給湯器具の開閉流調操作の一箇所集中管理を、安全に行えるようにすることを目的とする。
【課題を解決するための手段】
【０００９】
この課題を解決するために、本件発明の請求項１においては、本管からヘッダーを介して、所望の給水給湯器具へ分岐配管され、このヘッダーから分岐した分岐配管のうち少なくとも一つには、開閉を操作する開閉弁を設け、前記ヘッダー及び前記開閉弁を含む配管部材の接続部を有する配管構造にあって、前記開閉弁の操作部と前記配管接続部との間に、仕切り材を設けることとしている。
なお、ここでいう操作部とは、弁の開閉を行なう際に通常人の手が触れる部分のことを指す。
【００１０】
これにより、ヘッダー部にて日常的に湯水の開閉流調操作を行う場合においても、その近傍に配される多数の配管接続部の存在に注意を払わずとも、安全に開閉弁を操作することができるようになる。
【００１１】
本件発明の請求項２では、請求項1記載の給水給湯器具の配管構造において、前記操作部を複数有し、前記各操作部と前記配管接続部との仕切り材が一体化されていることを特徴としている。
【００１２】
これにより、製造コストを低減できると共に、仕切り材同士の間の溝等がなくなることで、外観性が向上し、仕切り材をもって外観カバーと兼用する際に有利となる。
【００１３】
本件発明の請求項３では、請求項１もしくは２の給水給湯器具の配管構造において、前記仕切り材上に、個々の分岐配管に対応した行き先表示を設けることとしている。
【００１４】
これにより、例えば前記仕切り材の操作部側から、配管構造が見えない状況にあっても、開閉弁を操作するにあたり、その操作部がどの給水給湯器具に影響を及ぼすかを確認することができるため、操作にあたって間違いの発生を抑制することができる。
【００１５】
本件発明の請求項４では、請求項３の給水給湯器具の配管構造において、ヘッダー本体もしくは分岐配管の少なくとも一方の上に、ヘッダー初期設置が完了した際には、仕切り材に表示されたものと同一の行き先内容になるような表示を設けることとしている。
【００１６】
これにより、実際の分岐配管の行き先と、仕切り材上にある表示の間に相違が発生することを防止し、この相違があった場合に発生する、前記開閉弁操作時の混乱を未然に防止することができる。
【発明の効果】
【００１７】
前記のように本発明の請求項１において、本管からヘッダーを介して、所望の給水給湯器具へ分岐配管され、このヘッダーから分岐した分岐配管のうち少なくとも一つには、開閉を操作する開閉弁を設け、前記ヘッダー及び前記開閉弁を含む配管部材の接続部を有する配管構造にあって、前記開閉弁の操作部と前記配管接続部との間に、仕切り材を設けることにより、ヘッダー部にて日常的に湯水の開閉流調操作を行う場合においても、その近傍に配される多数の配管接続部の存在に注意を払わずとも、安全に開閉弁を操作することができるようになる。また、これは、特に配管に関する知識を有さない居住者などが当部を扱うにあたって有用な手段となる。
【００１８】
さらに、本発明の請求項２では、請求項1記載の給水給湯器具の配管構造において、前記操作部を複数有し、前記各操作部と前記配管接続部との仕切り材が一体化されていることにより、製造コストを低減できると共に、仕切り材同士の間の溝等がなくなることで、外観性が向上し、また仕切り材をもって外観カバーと兼用することができるようになる。
【００１９】
また、本件発明の請求項３では、請求項１もしくは２の給水給湯器具の配管構造において、前記仕切り材上に、個々の分岐配管に対応した行き先表示を設けることにより、例えば前記仕切り材の操作部側から、配管構造が見えない状況にあっても、開閉弁を操作するにあたり、その操作部がどの給水給湯器具に影響を及ぼすかを確認することができるため、操作にあたって間違いの発生を抑制することができるようになる。
【００２０】
更に、本件発明の請求項４では、請求項３の給水給湯器具の配管構造において、ヘッダー本体もしくは分岐配管の少なくとも一方の上に、ヘッダー初期設置が完了した際には、仕切り材に表示されたものと同一の行き先内容になるような表示を設けることにより、実際の分岐配管の行き先と、仕切り材上にある表示の間に相違が発生することを防止し、この相違があった場合に発生する、前記開閉弁操作時の混乱を未然に防止することができるようになる。
【発明を実施するための最良の形態】
【００２１】
以下、本発明の一実施の形態について説明する。図１は本発明による給水給湯器具の配管構造を示す斜視図であり、図２はそのうち、ヘッダー近傍の分解状態の斜視図を示す。
なお、この図１は、説明の都合上仕切り材１２の一部を切り欠いた状態で記載している。この給水給湯器具の配管構造１は、主に本管２、ヘッダー４、分岐配管５、開閉弁７、配管接続部８ａ、８ｂ、仕切り材１２、開閉弁の操作部１３から構成される。
また、給水給湯器具とは、給水及び給湯配管の末端に接続され、水及び／又は湯を吐水可能な水栓等を示す。
【００２２】
本管２を上流側とする湯水は、エルボ３を通じてヘッダー４へ供給される。この湯水は、ヘッダー４により分岐され、分岐配管５により所望の給水給湯器具へ供給される。この分岐配管５の端部は、配管継手６、開閉弁７を介して、ヘッダー４に接続されており、ヘッダー４と開閉弁７の間にある配管接続部８ａ、また配管継手６と開閉弁７の間にある配管接続部８ｂは、それぞれクイックファスナー９により接続する。
【００２３】
配管接続部８ａ、８ｂは、プレート１０にねじ１１で固定される仕切り材１２によって、操作部１３と隔てられている。仕切り材１２には、穴１４が設けられており、これを通じて開閉弁７と操作部１２の動作は連動する仕組みになっている。
【００２４】
本例ではクイックファスナー９のつまみ部１５が、取付けの際に仕切り材１２と干渉してしまう形状であることから、仕切り材１２には、前記つまみ部１５との干渉を回避する別の穴１６を設けている。この穴１６は、つまみ部１５の形状に合わせ、干渉しない大きさであるが、クイックファスナー９全体が通り抜けるほど大きくはない。このため、操作部１３を取扱う際に、露出されている前記つまみ部１５に、誤って触れてしまったとしても、仕切り材１２によりクイックファスナー９が保持されているので、配管接続部８が外れてしまう恐れが無い。
【００２５】
また、クイックファスナー９のつまみ部１５を、本例のように、そのつまみ形状に合わせた穴により保持することは、施工組立て時、クイックファスナー９を、誤って接続部に対し斜めに組付けてしまった場合に、それを気付かせる効果も有している。これは、クイックファスナー９が斜めに組付けられた場合、通水中にクイックファスナー９が外れ、漏水してしまう可能性があるからである。
【００２６】
なお、仕切り材１２の固定は、配管接続部８を覆う形であればよいが、操作部１３を扱うにあたって、簡単に外れてしまうものではいけない。そのため、本例ではプレート１０とねじ１１による締結を実施例として示した。また、図示はしないが、図中では一体化で表現されている仕切り材１２は、配管敷設の状況に合わせて、複数に分割される形状であってもよい。
【００２７】
なお、図中において本管２は、ヘッダー４の最端部に位置する配管を指しているが、実際には本管２および分岐配管５で示される各管のうち、いずれか一本が本管の役割を担うことで構わない。開閉弁７は、各分岐配管上の流路の開閉を行うもので、図示はしないが、ボタン式により開閉されるものであってもよく、また、これに流量調整機能が付加されていても構わない。更に、クイックファスナー９の形態で示されている、配管接続部８−ａ、ｂの構成は、カプラ式であってもよい。
【００２８】
図３は、本発明による他の一例を示す斜視図である。これは、操作部近傍にある配管接続部８ａ、８ｂのうち、より重要であるヘッダー４と開閉弁７の間にある配管接続部８ａの部分のみ、仕切り材１２で覆った例である。このように、同じ構造を持つ配管接続部８ａ、８ｂに重要度の差違を付ける理由は、配管接続部８ａが、開閉弁７に対し上流側にあることによる。即ち、万一操作部１３を扱っている際に配管接続部８ｂが外れた場合は、配管接続部８ｂが開閉弁７に対し下流側にあるため、これを閉じることで即座に漏水を止めることができる。しかし、配管接続部８ａが外れてしまうと、その下流側に位置する開閉弁７では、漏水を止めることができない。このように、開閉弁７の設置場所と配管接続部８の関係を考慮に入れ、より重要と判断された箇所のみを覆う仕切り材１２を構成すれば、最小の部材で、安価に安全性を保つことができるようになる。なお、図３におけるその他の構成については、図１、図２と同一のものである。
【００２９】
図４は本発明による更に他の一例を示す取付け状態の斜視図であり、図５はその分解状態の斜視図である。また図６は、図４及び図５における、仕切り材１２のにあるカバー２４が閉じた状態の外観斜視図を示す。この給水給湯器具の配管構造１は、ヘッダー４近傍の、主に本管２、ヘッダー４、分岐配管５、開閉弁７、配管接続部８ａ、８ｂなどによる配管部構成部が、仕切り材１２を組付けた状態で、操作部１３を操作する側から見て隠れるように構成している。
【００３０】
本例では、本管２から分岐配管５にいたる湯水通水路を構成するヘッダーユニット１７ａ、１７ｂを、固定プレート１８にねじ１９によって固定し、またこの固定プレート１８は、開口２２が設けられた壁面２３の裏側に位置するように、取付材２０にねじ２１によって固定する。
【００３１】
仕切り材１２は、前記壁面２３を挟持するように固定プレート１８とねじ３３で締結され、穴３４を通じて、開閉弁７と連動する操作部１３を設けている。なお、キャップ２５は、操作部１３を設けない場合に不要となる穴３４塞ぐものであり、ここでは、その周辺に設けられた円筒状の突起２６に嵌めこむ形状とした。更に仕切り材１２には、操作部１３を使用しないときに、誤って当部に触れないようなカバー２４を設けている。
なお、このカバー２４は、閉じた時に仕切り材１２の表面３６が平滑になるように構成されている。
【００３２】
また、仕切り材１２には、個々の開閉弁に応じた行き先表示２７を付け、操作部１３が、どの給水給湯器具への影響を及ぼすかを明確にし、ヘッダー４上にも、分岐配管５の行き先が、前記行き先表示２７と同じ内容になる位置に、更に別の行き先表示２８を付けることで、分岐配管５を接続する際に、間違えた位置に組付けてしまわないようにした。
【００３３】
本例に示される給水給湯の配管構造１は、ヘッダーユニット１７ａ、１７ｂという、複数の湯水経路を持つ構造であり、仕切り材１２を一体化することで、全ての操作部１３を一目で確認できるようにした。
【００３４】
更に本例においては、図５にあるように配管接続部８からの万が一の漏水を受ける水受けトレイ３７を設けている。漏水は、水受けトレイ３７を伝って壁面の表側に導かれ、図示しないが、カバー１２の下部にある開口３９から流れ出ることで、操作部側から確認できるようにしている。
これにより、配管部を仕切り材１２で隠蔽しても、壁裏の漏水に関して把握することができる。
また、図示はしないが、壁裏の設置状況を確認する手段として、仕切り材１２を透明で構成したり、仕切り１２上に小窓をつけても良い。
【００３５】
図７、８は、図５、６における形態において、開閉弁７の操作をボタン式にしたものであり、それぞれ開閉弁７の止水状態及び通水状態を示している。
止水状態において操作部１３を押すと、この力を伝える軸３８が、ばね３９によってシート部４０に押し当てられている開閉弁体４１を押し、通水状態となる。操作がボタン式の場合、開閉を行なうための操作部１３はボタンの頂部であればよいことから、図８のようにボタンの本体部の大半が仕切り材１２の配管側にあっても差し支えない。
【００３６】
次に本発明による更に他の一例として、通常の操作部とヘッダー本体が離れた場所に設置する例を説明する。
図９（ａ）は、ヘッダー本体の分解斜視図であり、図９（ｂ）は操作部の斜視図、図１０は本例における操作部の断面図を示す。ここでは、開閉弁７の回動軸２９を、可撓性を有する連動機構３０の一端に連動連結し、別の場所に設置される別の仕切り材３２上に設けられる、操作部１３の軸部３１の先端に連動連結する。
この連動機構３０は、開閉弁７の回動軸２９及び、操作部１３の軸部３１に、接続部３０ａを介してピン３５で組付けられており、操作部１３の回動操作が、ワイヤー３０ｂにより開閉弁７に伝達される構成としている。
【００３７】
こうすることで、操作部だけをキッチン空間や洗面所空間など、居住者にとって操作し易い位置に取付けられるとともに、万が一連動機構３０が故障した場合も、特に湯水配管が集中するヘッダー部に仕切り材１２があるため、連動機構３０を外す際に、クイックファスナー９を触ることがなく、居住者自身により安全に交換、修理、補修を行うことができる。
【００３８】
また、図示はしないが、開閉弁７と操作部１３は、電気的な信号により連動するものであってもよい。
【００３９】
なお、本発明においては、発明の主旨を変更しない範囲で変更することができる。例えば、開閉弁７をヘッダー４の近傍に設けた例を示したが、開閉弁７を給水給湯器具に接続された分岐配管５とヘッダー４との途中の位置であればどこでもよい、とすることもできる。
【図面の簡単な説明】
【００４０】
【図１】本発明の実施の形態における斜視図である。
【図２】本発明の実施の形態における分解状態を示す斜視図である。
【図３】本発明の実施の形態における他の一例を示す斜視図である。
【図４】本発明の実施の形態における他の一例を示す斜視図である。
【図５】本発明の実施の形態における分解状態を示す斜視図である。
【図６】本発明の実施の形態におけるカバーを閉じた状態の外観斜視図である。
【図７】本発明の実施の形態における操作部の他の一例を示す断面図である。
【図８】図７の形態において通水状態を示す断面図である。
【図９】本発明の実施の形態における他の一例を示す斜視図である。
【図１０】本発明の実施の形態における操作部断面図である
【符号の説明】
【００４１】
１                    給水給湯器具の配管構造
２                    本管
３                    エルボ
４                    ヘッダー
５                    分岐配管
６                    配管継手
７                    開閉弁
８，８ａ，８ｂ    配管接続部
９                    クイックファスナー
１０            プレート
１１            ねじ
１２            仕切り材
１３            操作部
１４            仕切り材穴
１５            つまみ部
１６            仕切り材穴
１７，１７ａ，１７ｂ    ヘッダーユニット
１８            固定プレート
１９            ねじ
２０            取付材
２１            ねじ
２２            開口
２３            壁面
２４            カバー
２５            キャップ
２６            突起
２７            行き先表示
２８            行き先表示
２９            回動軸
３０             連動機構
３１            軸部
３２            仕切り材
３３            ねじ
３４            穴
３５            ピン
３６                 仕切り材の表面
３７                  水受けトレイ
３８                  軸
３９                  ばね
４０                  シート部
４１                  開閉弁体
【図１】
2004239055.tif 000003
【図２】
2004239055.tif 000004
【図３】
2004239055.tif 000005
【図４】
2004239055.tif 000006
【図５】
2004239055.tif 000007
【図６】
2004239055.tif 000008
【図７】
2004239055.tif 000009
【図８】
2004239055.tif 000010
【図９】
2004239055.tif 000011
【図１０】
2004239055.tif 000012